(57)【要約】【課題】良好な光学性能を維持しつつカメラの小型化・低コスト化に好適な構成の像正立光学系を備えた実像式ファインダー光学系とそれを備えた撮像装置。【解決手段】正屈折力の対物レンズ群１０と、正屈折力の接眼レンズ群３０とを有し、対物レンズ群１０は、負レンズからなる第１群Ｇ１、正レンズからなる第２群Ｇ２、正レンズからなる第３群Ｇ３、負屈折力を有し像反転光学系２０の一部をなす第４群Ｇ４からなり、広角端から望遠端への変倍に際して、第１群Ｇ１は固定、第２群Ｇ２と第３群Ｇ３が可動、第４群Ｇ４が固定で、接眼レンズ群３０は、像反転光学系２０の一部をなす第５群Ｇ５と、正屈折力の第６群Ｇ６を有し、第１〜第３群の広角端におけるバックフォーカスに関する条件式等を満足する。【選択図】　　　　図１
2004004447.tif 000002
【特許請求の範囲】
【請求項１】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
１．６０＜ｆｂ（ｗ）／ｆｗ　＜３．０　　　　　　　　　　　　・・・（１）
ただし、ｆｂ（ｗ）は第１レンズ群〜第３レンズ群の広角端におけるバックフォーカス、ｆｗ　は第１レンズ群〜第４レンズ群の広角端における合成焦点距離である。
【請求項２】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
−２．０＜（Ｄ１ｗ−Ｄ１ｔ）／（ｆｗ　−ｆｔ　）＜−０．７　　・・・（２）
ただし、Ｄ１ｗは広角端における第１レンズ群と第２レンズ群との光軸上の空気間隔、Ｄ１ｔは望遠端における第１レンズ群と第２レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【請求項３】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
０．８９＜（Ｄ３ｗ−Ｄ３ｔ）／（ｆｗ　−ｆｔ　）＜１．５　　　・・・（３）
ただし、Ｄ３ｗは広角端における第３レンズ群と第４レンズ群との光軸上の空気間隔、Ｄ３ｔは望遠端における第３レンズ群と第４レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【請求項４】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
−３．０＜ｆ１　／ｆｗ　＜−１．５２　　　　　　　　　　　・・・（４）
ただし、ｆ１　は第１レンズ群の焦点距離、ｆｗ　は第１レンズ群〜第４レンズ群の広角端における合成焦点距離である。
【請求項５】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
２．１＜Ｄ１ｗ／ｆｗ　＜４．０　　　　　　　　　　　　　　・・・（５）
ただし、Ｄ１ｗは広角端における第１レンズ群と第２レンズ群との光軸上の空気間隔、ｆｗ　は第１レンズ群〜第４レンズ群の広角端における合成焦点距離である。
【請求項６】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
６．１＜ＳＤｗ２／ｆｗ　＜１０　　　　　　　　　　　　　　・・・（６）
ただし、ＳＤｗ２は第１レンズ群の物体側の面から第５レンズ群の物体側の面までの光軸上の距離、ｆｗ　は第１レンズ群〜第４レンズ群の広角端における合成焦点距離である。
【請求項７】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
０．０２＜Ｄ３ｗ／Ｄ１ｗ＜０．１０　　　　　　　　　　　　・・・（７）
ただし、Ｄ３ｗは広角端における第３レンズ群と第４レンズ群との光軸上の空気間隔、Ｄ１ｗは広角端における第１レンズ群と第２レンズ群との光軸上の空気間隔である。
【請求項８】
物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
０．０６＜Ｄ１ｔ／ｆｔ　＜０．８０　　　　　　　　　　　　・・・（８）
ただし、Ｄ１ｔは望遠端における第１レンズ群と第２レンズ群との光軸上の空気間隔、ｆｔ　は第１レンズ群〜第４レンズ群の望遠端における合成焦点距離である。
【請求項９】
請求項１から８の何れか１項記載の実像式ファインダー光学系と、該実像式ファインダー光学系とは異なる入射光路を備えると共に、該実像式ファインダー光学系にて観察される被写体の像を結像する結像光学系とを備えたことを特徴とする撮像装置。
【発明の詳細な説明】
【０００１】
【発明の属する技術分野】
本発明は、実像式ファインダー光学系及びそれを備えた撮像装置に関し、特に、撮影光学系とファインダー光学系とが別体に構成されたレンズシャッターカメラや電子スチルカメラ等に用いるのに適した実像式ファインダー光学系に関するものである。
【０００２】
【従来の技術】
レンズシャッターカメラに用いられるファインダーについては、虚像式ファインダーと実像式ファインダーが一般に知られているが、カメラの小型化を実現しようとする場合、虚像式ではレンズ径が大きくなってしまうため、実像式ファインダーを用いることになる。
【０００３】
近年、各メーカー共カメラの小型化・低コスト化が進んでいる。カメラに搭載されるファインダー光学系にもさらなる小型化・低コスト化が要求されている。従来より、対物レンズの光学系として、プリズムも一つのレンズ群として扱うと、２群ズームタイプ、３群ズームタイプ、４群ズームタイプ等が提案されている。この中、変倍比が大きい実像式変倍ファインダーにおいては、対物光学系の構成を４群ズームタイプとするのが収差補正を良好に行う上で好ましい。また、一つの群に２枚以上のレンズを使用すると、その分変倍時の移動群の移動量が制限されてしまい、各レンズ群のパワーを強くしなければならず、製造時の偏心誤差等による性能劣化が大きくなってしまうので好ましくないし、小型化、低コスト化のためにも対物光学系の各レンズ群は１枚のレンズ（プリズムも含む）で構成するのが好ましい。
【０００４】
４群ズームタイプの中、第１レンズ群を正レンズで構成すると、入射瞳位置が一次結像面側へ寄ってしまいレンズ径が大きくなってしまうので、第１レンズ群は負レンズで構成することが望ましい。また、第２レンズ群、第３レンズ群を正レンズ群とすることで、第１レンズ群〜第３レンズ群でのバックフォーカスを長くすることができるため、プリズム構成の自由度が大きくなり、小型化する上で好ましい。第４レンズ群（プリズム）を正レンズにすると、レンズ径が大きくなってしまい好ましくない。プリズム構成の自由度を確保するためにも、より有効径の小さい負レンズにするべきである。
【０００５】
このように、対物レンズ群の構成を各群１枚のレンズからなる４つの群で構成し、物体側より順に、負、正、正、負の構成をとっているファインダーとして、特許文献１〜６等のものがある。しかし、これらは何れも第１レンズ群〜第３レンズ群のバックフォーカスがまだ十分に大きいとはいえず、自由度の高いプリズム構成が可能な設計にはなっていない。
【０００６】
【特許文献１】
特開平５−１６４９６４号公報（段落〔００１１〕〜〔００２９〕、図１〜図１５）
【０００７】
【特許文献２】
特開平８−２４０７６９号公報（段落〔００２２〕〜〔００８０〕、図１〜図１３）
【０００８】
【特許文献３】
特開平１１−１９４２７１号公報（段落〔００２４〕〜〔００７０〕、図１〜図５）
【０００９】
【特許文献４】
特開平１１−２４２１６７号公報（段落〔００４１〕〜〔０２１８〕、図１〜図１８）
【００１０】
【特許文献５】
特開２０００−３４７１０１号公報（段落〔００１５〕〜〔００４６〕、図１〜図１２）
【００１１】
【特許文献６】
特開２００１−１３３７００号公報（段落〔０００８〕〜〔００２４〕、図１〜図１６）
【００１２】
【発明が解決しようとする課題】
本発明は上記のような従来技術の有する問題点に鑑みてなされたものであり、その目的は、良好な光学性能を維持しつつカメラの小型化・低コスト化に好適な構成の像正立光学系を備えた実像式ファインダー光学系とそれを備えた撮像装置を提供することにある。
【００１３】
【課題を解決するための手段】
上記目的を達成するための本発明の第１の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００１４】
１．６０＜ｆｂ（ｗ）／ｆｗ　＜３．０　　　　　　　　　　　　・・・（１）
ただし、ｆｂ（ｗ）は第１レンズ群〜第３レンズ群の広角端におけるバックフォーカス、ｆｗ　は第１レンズ群〜第４レンズ群の広角端における合成焦点距離である。
【００１５】
本発明の第１の実像式ファインダー光学系において、このような構成をとる理由と作用を説明する。
【００１６】
対物レンズ系を、物体側から順に、負レンズからなる第１レンズ群、正レンズからなる第２レンズ群、正レンズからなる第３レンズ群とすることで、入射瞳位置を前方に配することができ、広角端で大きくなりがちな前玉径を小さくすることができると共に、バックフォーカスを大きく取ることができるので、第４レンズ群にて形成するプリズム光学系のレイアウトの自由度が高くなる。また、第４レンズ群（プリズム）を負屈折力とすることで、第４レンズ群の入射側の有効径を小さくすることができるため、これもプリズム光学系のレイアウトの自由度を高くしている。プリズム光学系のレイアウトの自由度が高くなるということは、他の構成部品の配置の自由度も高まるため、その結果、カメラを薄くしたり小さくすることが可能になる。また、変倍時には、対物レンズ系の全長を変化させることなく、第２レンズ群と第３レンズ群のみを移動させている。これにより、カム構造等が複雑になることを防ぎ、低コスト化が可能になっている。また、条件式（１）の下限の１．６０を越えて小さくなると、バックフォーカスが小さくなるため、プリズムレイアウトの自由度が小さくなり不都合である。条件式（１）の上限の３．０を越えて大きくなると、十分な性能を確保することが困難になる。
【００１７】
本発明の第２の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００１８】
−２．０＜（Ｄ１ｗ−Ｄ１ｔ）／（ｆｗ　−ｆｔ　）＜−０．７　　・・・（２）
ただし、Ｄ１ｗは広角端における第１レンズ群と第２レンズ群との光軸上の空気間隔、Ｄ１ｔは望遠端における第１レンズ群と第２レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【００１９】
本発明の第２の実像式ファインダー光学系において、このような構成をとる理由と作用を説明する。
【００２０】
条件式以外は、第１の実像式ファインダー光学系と同様であり、条件式（２）は、広角端から望遠端までの変倍したときの第１レンズ群と第２レンズ群との間隔の変化量を焦点距離の変化量で規格化したものである。本発明では、変倍時に第１レンズ群は移動しないので、変倍時の第１レンズ群と第２レンズ群との間隔の変化量とは即ち第２レンズ群の移動量ということになる。条件式（２）の下限の−２．０を越えて小さくなると、焦点距離の変化量に対して第２レンズ群の移動量が大きくなり、例えばテイキングレンズと変倍を同調させるためのカムの形状が正常な動作をさせるための範囲を越えてしまったりといった機械的構成上の不都合が生じる。また、条件式（２）の上限の−０．７を越えて大きくなると、焦点距離の変化量に対して第２レンズ群の移動量が小さすぎるため、第２レンズ群のパワーを強くしなければならず、偏心に対する性能劣化等が大きくなってしまうため好ましくない。
【００２１】
本発明の第３の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００２２】
０．８９＜（Ｄ３ｗ−Ｄ３ｔ）／（ｆｗ　−ｆｔ　）＜１．５　　　・・・（３）
ただし、Ｄ３ｗは広角端における第３レンズ群と第４レンズ群との光軸上の空気間隔、Ｄ３ｔは望遠端における第３レンズ群と第４レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【００２３】
本発明の第３の実像式ファインダー光学系において、このような構成をとる理由と作用を説明する。
【００２４】
条件式以外は、第１、第２の実像式ファインダー光学系と同様であり、条件式（３）は、広角端から望遠端までの変倍したときの第３レンズ群と第４レンズ群との間隔の変化量を焦点距離の変化量で規格化したものである。本発明では、変倍時に第４レンズ群は移動しないので、変倍時の第３レンズ群と第４レンズ群との間隔の変化量とは即ち第３レンズ群の移動量ということになる。条件式（３）の下限の０．８９を越えて小さくなると、焦点距離の変化量に対して第３レンズ群の移動量が小さくなり、第３レンズ群のパワーを強くしなければならず、偏心に対する性能劣化等が大きくなってしまうため好ましくない。また、条件式（３）の上限の１．５を越えて大きくなると、焦点距離の変化量に対して第３レンズ群の移動量が大きくなり、例えばテイキングレンズと変倍を同調させるためのカムの形状が正常な動作をさせるための範囲を越えてしまったりといった機械的構成上の不都合が生じる可能性があるため好ましくない。
【００２５】
本発明の第４の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００２６】
−３．０＜ｆ１　／ｆｗ　＜−１．５２　　　　　　　　　　　・・・（４）
ただし、ｆ１　は第１レンズ群の焦点距離、ｆｗ　は第１レンズ群〜第４レンズ群の広角端における合成焦点距離である。
【００２７】
本発明の第４の実像式ファインダー光学系において、このような構成をとる理由と作用を説明する。
【００２８】
条件式以外は、第１〜第３の実像式ファインダー光学系と同様であり、条件式（４）は、第１レンズ群の焦点距離を広角端における第１レンズ群〜第４レンズ群の合成焦点距離により規格化したものである。条件式（４）の下限の−３．０を越えて小さくなると、第１レンズ群のパワーが弱くなり、入射瞳の位置が一次結像面側へ寄ってしまうため、レンズ径を大きくしなければならず好ましくない。条件式（４）の上限の−１．５２を越えて大きくなると、第１レンズ群のパワーが強くなり、第１レンズ群と第２レンズ群との間隔変化の視度に対する感度が大きくなってしまい好ましくない。
【００２９】
本発明の第５の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００３０】
２．１＜Ｄ１ｗ／ｆｗ　＜４．０　　　　　　　　　　　　　　・・・（５）
ただし、Ｄ１ｗは広角端における第１レンズ群と第２レンズ群との光軸上の空気間隔、ｆｗ　は第１レンズ群〜第４レンズ群の広角端における合成焦点距離である。
【００３１】
本発明の第５の実像式ファインダー光学系において、このような構成をとる理由と作用を説明する。
【００３２】
条件式以外は、第１〜第４の実像式ファインダー光学系と同様であり、条件式（５）は、広角端における第１レンズ群と第２レンズ群との間隔を広角端における第１レンズ群〜第４レンズ群の合成焦点距離により規格化したものである。条件式（５）の下限の２．１を越えて小さくなると、第１レンズ群と第２レンズ群との間隔が狭くなり、第１レンズ群と第２レンズ群との間隔変化の視度に対する感度が大きくなってしまい好ましくない。条件式（５）の上限の４．０を越えて大きくなると、第１レンズ群と第２レンズ群との間隔が大きくなるので、小型化するのに好ましくない状態となる。
【００３３】
本発明の第６の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００３４】
６．１＜ＳＤｗ２／ｆｗ　＜１０　　　　　　　　　　　　　　・・・（６）
ただし、ＳＤｗ２は第１レンズ群の物体側の面から第５レンズ群の物体側の面までの光軸上の距離、ｆｗ　は第１レンズ群〜第４レンズ群の広角端における合成焦点距離である。
【００３５】
本発明の第６の実像式ファインダー光学系において、このような構成をとる理由と作用を説明する。
【００３６】
条件式以外は、第１〜第５の実像式ファインダー光学系と同様であり、条件式（６）は、広角端における第１レンズ群の物体側の面から第５レンズ群の物体側の面までの光軸上の距離を広角端における第１レンズ群〜第４レンズ群の合成焦点距離により規格化したものである。この条件式（６）の下限の６．１を越えて小さくなると、諸収差特に球面収差、コマ収差の補正が困難になる。この条件式（６）の上限の１０を越えて大きくなると、ファインダーのカメラの厚さ方向の大きさが大きくなり、小型化するのに好ましくない。
【００３７】
本発明の第７の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００３８】
０．０２＜Ｄ３ｗ／Ｄ１ｗ＜０．１０　　　　　　　　　　　　・・・（７）
ただし、Ｄ３ｗは広角端における第３レンズ群と第４レンズ群との光軸上の空気間隔、Ｄ１ｗは広角端における第１レンズ群と第２レンズ群との光軸上の空気間隔である。
【００３９】
本発明の第７の実像式ファインダー光学系において、このような構成をとる理由と作用を説明する。
【００４０】
条件式以外は、第１〜第６の実像式ファインダー光学系と同様であり、条件式（７）は、広角端における第３レンズ群と第４レンズ群との光軸上の空気間隔と広角端における第１レンズ群と第２レンズ群との光軸上の空気間隔との比を表している。この条件式（７）の下限の０．０２を越えて小さくなると、第１レンズ群と第２レンズ群との間隔が大きくなるので、第１レンズ群のレンズ径が大きくなってしまい小型化するのに好ましくない状態となる。条件式（７）の上限の０．１０を越えて大きくなると、第３レンズ群の変倍時の移動量が小さくなってしまうので、第３レンズ群のパワーを強くしなければならず、偏心に対する性能劣化等が大きくなってしまうため好ましくない。
【００４１】
本発明の第８の実像式ファインダー光学系は、物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とするものである。
【００４２】
０．０６＜Ｄ１ｔ／ｆｔ　＜０．８０　　　　　　　　　　　　・・・（８）
ただし、Ｄ１ｔは望遠端における第１レンズ群と第２レンズ群との光軸上の空気間隔、ｆｔ　は第１レンズ群〜第４レンズ群の望遠端における合成焦点距離である。
【００４３】
本発明の第８の実像式ファインダー光学系において、このような構成をとる理由と作用を説明する。
【００４４】
条件式以外は、第１〜第７の実像式ファインダー光学系と同様であり、条件式（８）は、望遠端における第１レンズ群と第２レンズ群との間隔を望遠端における第１レンズ群〜第４レンズ群の合成焦点距離で規格化したものである。この条件式（８）の下限の０．０６を越えて小さくなると、第１レンズ群と第２レンズ群との間隔変化の視度に対する感度が大きくなってしまい好ましくない。条件式（８）の上限の０．８０を越えて大きくなると、変倍時の第２レンズ群の移動量を十分に取るために第２レンズ群のパワーを強くしなければならず、偏心に対する性能劣化等が大きくなってしまうため好ましくない。
【００４５】
上記条件式（１）〜（８）それぞれに対して各条件式の値が以下の範囲に入るようにすれば、さらに効果が高い。
【００４６】
１．８５＜ｆｂ（ｗ）／ｆｗ　＜２．４　　　　　　　　　　　　・・・（１）’
−１．６＜（Ｄ１ｗ−Ｄ１ｔ）／（ｆｗ　−ｆｔ　）＜−０．８５　・・・（２）’
０．８９＜（Ｄ３ｗ−Ｄ３ｔ）／（ｆｗ　−ｆｔ　）＜１．０　　　・・・（３）’
−１．８＜ｆ１　／ｆｗ　＜−１．５２　　　　　　　　　　　・・・（４）’
２．１＜Ｄ１ｗ／ｆｗ　＜２．７　　　　　　　　　　　　　　・・・（５）’
６．１＜ＳＤｗ２／ｆｗ　＜８　　　　　　　　　　　　　　　・・・（６）’
０．０３＜Ｄ３ｗ／Ｄ１ｗ＜０．０５　　　　　　　　　　　　・・・（７）’
０．１＜Ｄ１ｔ／ｆｔ　＜０．２　　　　　　　　　　　　　　・・・（８）’
もちろん、条件式（１）〜（８）について、各々の条件式の下限値のみを限定してもよいし、上限値のみを限定しても構わない。
【００４７】
また、条件式（１）〜（８）の何れか複数を組み合わせても効果があるものである。
【００４８】
以上の第１〜第８の実像式ファインダー光学系と、その実像式ファインダー光学系とは異なる入射光路を備えると共に、その実像式ファインダー光学系にて観察される被写体の像を結像する結像光学系とを備えて撮像装置を構成することができる。
【００４９】
このように構成することで、ファインダーの小型化に伴い、撮像装置の小型化にも有利となる。
【００５０】
ところで、以上の第１〜第８の実像式ファインダー光学系において、第４レンズ群は３回の反射を行う複数の反射面を有し、第５レンズ群はダハ反射面を有するようにすることが望ましい。
【００５１】
このように構成することで、対物レンズ群の長いバックフォーカスを利用して中間像位置を像正立光学系の内部に配することができ、ファインダーの厚さ方向を小さくできる。また、ダハ反射面を用いることで、像正立光学系が厚くなることを防ぎ、よりコンパクト化が達成できる。
【００５２】
また、以上の第１〜第８の実像式ファインダー光学系において、対物レンズ群による焦点面近傍に観察視野を制限する視野絞りを配すると共に、広角端における最大入射半画角ωｗ　が以下の条件を満足することが望ましい。
【００５３】
２７°＜ωｗ　＜４５°　　　　　　　　　　　　　　　　　・・・（９）
この条件式（９）の下限の２７°を越えると、一般にコンパクトカメラに必要とされる広角端画角から離れてしまう。一方、上限の４５°を越えると、少ないレンズ枚数にて広角端での歪曲収差の補正を行うことが困難となってくる。
【００５４】
さらに、条件式（９）の下限値を３０°とすると、観察画角に対する光学性能のバランスが取れ、より好ましい。又は、その上限値を４０°とすると、広角端での歪曲収差の補正に有利となる。
【００５５】
また、以上の第１〜第８の実像式ファインダー光学系において、対物レンズ群による焦点面近傍に観察視野を制限する視野絞りを配すると共に、望遠端における最大入射半画角ωｔ　が以下の条件を満足することが望ましい。
【００５６】
５°＜ωｔ　＜１８°　　　　　　　　　　　　　　　　　・・・（１０）
この条件式（１０）の下限の５°を越えると、移動レンズ群の移動量が大きくなり、大型化しやすくなる。一方、上限の１８°を越えると、変倍範囲が狭くなる。
【００５７】
さらに、条件式（１０）の下限値を８°とすると、変倍比とコンパクト化とのバランスが取りやすくなるため、より好ましい。又は、上限値を１２°とすると、広角端での歪曲収差の補正に有利となる。
【００５８】
また、以上の第１〜第８の実像式ファインダー光学系において、以下の条件を満足することが望ましい。
【００５９】
１．７＜ｆｔ　／ｆｗ　＜６　　　　　　　　　　　　　　　・・・（１１）
ただし、ｆｔ　は第１レンズ群〜第４レンズ群の望遠端における合成焦点距離、ｆｗ　は第１レンズ群〜第４レンズ群の広角端における合成焦点距離である。
【００６０】
この条件式（１１）の下限値の１．７を越えると、変倍範囲が狭くなる。上限値の６を越えると、変倍範囲は広くなるが、移動レンズ群の移動量が大きくなり、大型化しやすくなる。
【００６１】
さらに、条件式（１１）の下限値を２．０、又は、上限値を４．０とすると、小型化と変倍比の確保、収差補正のバランスが取りやすくなりより好ましい。
【００６２】
【発明の実施の形態】
以下、本発明の実像式ファインダー光学系の実施例を説明する。
【００６３】
本発明の実施例１〜８の実像式ファインダー光学系は、図１に実施例１の光路図を代表例として示すように、正屈折力の対物レンズ群１０と、正屈折力の接眼レンズ群３０とを備えてなり、対物レンズ群１０は、単一の負レンズからなる第１レンズ群Ｇ１、単一の正レンズからなる第２レンズ群Ｇ２、単一の正レンズからなる第３レンズ群Ｇ３、像反転光学系２０を構成する第１プリズム２１であって負屈折力を有する第４レンズ群Ｇ４からなり、接眼レンズ群３０は、像反転光学系２０を構成する第２プリズム２２からなる第５レンズ群Ｇ５、単一の正レンズからなる第６レンズ群Ｇ６からなる。
【００６４】
そして、対物レンズ群１０による中間像は何れの実施例においても、第２プリズム２２の入射面２Ａ位置近傍に結像され、その入射面２Ａ近傍に視野枠１１が配置されている。
【００６５】
対物レンズ群１０の第１レンズ群Ｇ１、第２レンズ群Ｇ２、第３レンズ群Ｇ３を順に経た光軸は、第１プリズム２１内で光軸が交差しないように入射面１Ａから入射して、光学面１Ｂ、１Ｃ、１Ｄの各面でこの順に反射し、反射面と透過面を兼ねる光学面１Ｃから射出するように第１プリズム２１が構成され、第１プリズム２１から出た光軸は、第２プリズム２２内で光軸が交差しないように入射面２Ａから入射して、光学面２Ｂ、２Ｃの各面でこの順に反射し、反射面と透過面を兼ねる光学面２Ｂから射出するように第２プリズム２２が構成されており、光学面１Ｂ、１Ｄにミラーコートが施され、光学面２Ｃはダハ反射部となっており、全ての屈折面、反射面は平面を含む回転対称な曲率の面となっている。
【００６６】
また、光学面１Ａに入射する光軸と光学面２Ｂから出る光軸は平行になるように、第１プリズム２１の光学面１Ａ〜１Ｄと第２プリズム２２の光学面２Ａ〜２Ｃの角度が設定されている。
【００６７】
対物レンズ群１０による変倍は、第１レンズ群Ｇ１と第４レンズ群Ｇ４を固定して、第２レンズ群Ｇ２と第３レンズ群Ｇ３を移動させることで、広角端から望遠端への変倍を行っている。
【００６８】
なお、図１中、射出瞳（アイポイント）は符号ＥＰで示されている。
【００６９】
以下、実施例１〜８の光路展開図をそれぞれ示す図２〜図９に基づいて、各実施例を説明する。図２〜図９において、（ａ）は広角端、（ｂ）は中間状態、（ｃ）は望遠端での光路展開図である。
【００７０】
実施例１の実像式ファインダー光学系は、図２に示すように、対物レンズ群１０は、両凹負単レンズからなる第１レンズ群Ｇ１と、両凸正単レンズからなる第２レンズ群Ｇ２と、両凸正単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００７１】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００７２】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【００７３】
実施例２の実像式ファインダー光学系は、図３に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００７４】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００７５】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【００７６】
実施例３の実像式ファインダー光学系は、図４に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００７７】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００７８】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は広くなっている。
【００７９】
実施例４の実像式ファインダー光学系は、図５に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００８０】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００８１】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【００８２】
実施例５の実像式ファインダー光学系は、図６に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００８３】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００８４】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【００８５】
実施例６の実像式ファインダー光学系は、図７に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面近傍に視野枠１１が配置されている。
【００８６】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００８７】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【００８８】
実施例７の実像式ファインダー光学系は、図８に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００８９】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００９０】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を広げるように物体側へ移動し、望遠端では広角端におけるよりも第２レンズ群Ｇ２と第３レンズ群Ｇ３の間隔は広くなっている。
【００９１】
実施例８の実像式ファインダー光学系は、図９に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置に視野枠１１が配置されている。
【００９２】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【００９３】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は広くなっている。
【００９４】
次に、本発明の実施例９の実像式ファインダー光学系の広角端での光路図を図１０に、そのの光路展開図を図１１に示す。図１１の（ａ）は広角端、（ｂ）は中間状態、（ｃ）は望遠端での光路展開図である。
【００９５】
実施例９の実像式ファインダー光学系は、図１０に示すように、正屈折力の対物レンズ群１０と、正屈折力の接眼レンズ群３０とを備えてなり、対物レンズ群１０は、単一の負レンズからなる第１レンズ群Ｇ１、単一の正レンズからなる第２レンズ群Ｇ２、単一の正レンズからなる第３レンズ群Ｇ３、像反転光学系２０を構成するダハプリズムからなる第１プリズム２１であって負屈折力を有する第４レンズ群Ｇ４からなり、接眼レンズ群３０は、像反転光学系２０を構成するペンタプリズムからなる第２プリズム２２であって正屈折力を有する第５レンズ群Ｇ５、単一の正レンズからなる第６レンズ群Ｇ６からなる。第６レンズ群Ｇ６の観察側にはカバーガラス１２が配置されている。
【００９６】
そして、対物レンズ群１０による中間像は第２プリズム２２の入射面２Ａ’位置近傍に結像され、その入射面２Ａ’近傍に視野枠１１が配置されている。
【００９７】
対物レンズ群１０の第１レンズ群Ｇ１、第２レンズ群Ｇ２、第３レンズ群Ｇ３を順に経た光軸は、第１プリズム２１内で光軸が交差しないように入射面１Ａ’から入射して、光学面１Ｂ’で反射し、光学面１Ｃ’から射出するように第１プリズム２１が構成され、第１プリズム２１から出た光軸は、第２プリズム２２の入射面２Ａから入射して、光学面２Ｂ’、２Ｃ’の各面でこの順に反射し、光学面２Ｂ’に向かう光軸と光学面２Ｃ’で反射した光軸は第２プリズム２２内で交差し、光学面２Ｄ’から射出するように第２プリズム２２が構成されており、光学面１Ｂ’はダハ反射部となっており、光学面２Ｂ’、２Ｃ’にミラーコートが施されており、全ての屈折面、反射面は平面を含む回転対称な曲率の面となっている。
【００９８】
また、光学面１Ａ’に入射する光軸と光学面２Ｄ’から出る光軸は平行になるように、第１プリズム２１の光学面１Ａ’〜１Ｃ’と第２プリズム２２の光学面２Ａ’〜２Ｄ’の角度が設定されている。
【００９９】
対物レンズ群１０による変倍は、第１レンズ群Ｇ１と第４レンズ群Ｇ４を固定して、第２レンズ群Ｇ２と第３レンズ群Ｇ３を移動させることで、広角端から望遠端への変倍を行っている。
【０１００】
なお、図１０中、射出瞳（アイポイント）は符号ＥＰで示されている。
【０１０１】
そして、この実施例９の実像式ファインダー光学系は、図１１に示すように、対物レンズ群１０は、両凹負単レンズからなる第１レンズ群Ｇ１と、両凸正単レンズからなる第２レンズ群Ｇ２と、物体側に凹面を向けた正メニスカス単レンズからなる第３レンズ群Ｇ３と、凹平負単レンズに相当する構成の第１プリズム２１からなる第４レンズ群Ｇ４とからなり、接眼レンズ群３０は、凸平正単レンズに相当する構成の第２プリズム２２からなる第５レンズ群Ｇ５と、両凸正単レンズからなる第６レンズ群Ｇ６とからなり、第５レンズ群Ｇ５の入射側の面位置近傍に視野枠１１が配置され、第６レンズ群Ｇ６の観察側には平行平板からなるカバーガラス１２が配置されている。
【０１０２】
そして、第１レンズ群Ｇ１の入射側の面、第２レンズ群Ｇ２の入射側の面、第３レンズ群Ｇ２の両面、第４レンズ群Ｇ４の入射側の面、第６レンズ群Ｇ６の入射側の面の６面に非球面が配置されている。
【０１０３】
広角端から望遠端に変倍する際には、第１レンズ群Ｇ１は固定で、第２レンズ群Ｇ２は物体側へ単調に移動し、第３レンズ群Ｇ３は第２レンズ群Ｇ２との間の間隔を一旦は広げ次いで狭めるように物体側へ移動し、望遠端では広角端におけるよりも第２レンズ群Ｇ２と第３レンズ群Ｇ３の間隔は狭くなっている。
【０１０４】
以下に、上記実施例１〜９の数値データを示すが、記号は上記の外、ＥＰはアイポイント、ωは半画角、ＷＥは広角端、ＳＴは中間状態、ＴＥは望遠端、ｒ１　、ｒ２　…は各レンズ面の曲率半径、ｄ１　、ｄ２　…は各レンズ面間の間隔、ｎｄ１、ｎｄ２…は各レンズのｄ線の屈折率、νｄ１、νｄ２…は各レンズのアッベ数である。なお、非球面形状は、ｘを光の進行方向を正とした光軸とし、ｙを光軸と直交する方向にとると、下記の式にて表される。
【０１０５】
ｘ＝（ｙ２　／ｒ）／［１＋｛１−（Ｋ＋１）（ｙ／ｒ）２　｝１／２　］＋Ａ４ｙ４　＋Ａ６ｙ６　＋Ａ８ｙ８　＋　Ａ１０ｙ１０
ただし、ｒは近軸曲率半径、Ｋは円錐係数、Ａ４、Ａ６、Ａ８、Ａ１０　はそれぞれ４次、６次、８次、１０次の非球面係数である。
【０１０６】
2004004447.tif 000003
2004004447.tif 000004
2004004447.tif 000005
【０１０７】
2004004447.tif 000006
2004004447.tif 000007
2004004447.tif 000008
【０１０８】
2004004447.tif 000009
2004004447.tif 000010
2004004447.tif 000011
【０１０９】
2004004447.tif 000012
2004004447.tif 000013
2004004447.tif 000014
【０１１０】
2004004447.tif 000015
2004004447.tif 000016
2004004447.tif 000017
【０１１１】
2004004447.tif 000018
2004004447.tif 000019
2004004447.tif 000020
【０１１２】
2004004447.tif 000021
2004004447.tif 000022
2004004447.tif 000023
【０１１３】
2004004447.tif 000024
2004004447.tif 000025
2004004447.tif 000026
【０１１４】
2004004447.tif 000027
2004004447.tif 000028
2004004447.tif 000029
【０１１５】
以上の実施例１〜３の無限遠物点に対する収差図をそれぞれ図１２〜図１４に示す。これらの収差図において、（ａ）は広角端、（ｂ）は中間状態、（ｃ）は望遠端における球面収差ＳＡ、非点収差ＡＳ、歪曲収差ＤＴ、倍率色収差ＣＣを示す。なお、これら収差図は、射出瞳ＥＰの位置に無収差の結像レンズを配置したときの収差である。
【０１１６】
次に、上記各実施例における条件式（１）〜（８）、（１１）の値を示す。
【０１１７】
2004004447.tif 000030
【０１１８】
なお、以上の実施例では、第３レンズ群Ｇ３は何れも、広角端から望遠端に変倍する際に物体側に繰り出されるものであったが、第３レンズ群Ｇ３を一旦眼側へ微動後、物体側へ繰り出すようにすることもできる。
【０１１９】
以上のような本発明の実像式ファインダー光学系は、例えばレンズシャッターカメラや電子スチルカメラのファインダー光学系として使用することができる。図１５は、そのようなレンズシャッターカメラ又は電子スチルカメラ４０に組み込んだ場合の一例の透視斜視図であり、カメラ４０の前面には撮影用の対物光学系４１が配置され、カメラ４０内の対物光学系４１の像面位置に電子撮像素子あるいは銀塩フィルム４２が配置され、撮影光路４３を経た光束により被写体の像を電子撮像素子あるいは銀塩フィルム４２に撮影記録する。一方、撮影光路４３と略平行なファインダー光路４４を経て入射する同じ被写体の像は、本発明の実像式ファインダー光学系１を通してカメラ４０の背面の接眼開口を通して撮影者の眼Ｅ中に結像する。この例のように、本発明の実像式ファインダー光学系１は、第１プリズム２１と第２プリズム２２からなる像反転光学系２０中で光路を水平面あるいは垂直面内で折り曲げて入射光軸と射出光軸を平行になるようにすることにより、ファインダー光学系自身及びカメラのコンパクト化、薄型化を図ることができる。
【０１２０】
以上の本発明の実像式ファインダー光学系及びそれを備えた撮像装置は例えば次のように構成することができる。
【０１２１】
〔１〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１２２】
１．６０＜ｆｂ（ｗ）／ｆｗ　＜３．０　　　　　　　　　　　　・・・（１）
ただし、ｆｂ（ｗ）は第１レンズ群〜第３レンズ群の広角端におけるバックフォーカス、ｆｗ　は第１レンズ群〜第４レンズ群の広角端における合成焦点距離である。
【０１２３】
〔２〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１２４】
−２．０＜（Ｄ１ｗ−Ｄ１ｔ）／（ｆｗ　−ｆｔ　）＜−０．７　　・・・（２）
ただし、Ｄ１ｗは広角端における第１レンズ群と第２レンズ群との光軸上の空気間隔、Ｄ１ｔは望遠端における第１レンズ群と第２レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【０１２５】
〔３〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１２６】
０．８９＜（Ｄ３ｗ−Ｄ３ｔ）／（ｆｗ　−ｆｔ　）＜１．５　　　・・・（３）
ただし、Ｄ３ｗは広角端における第３レンズ群と第４レンズ群との光軸上の空気間隔、Ｄ３ｔは望遠端における第３レンズ群と第４レンズ群との光軸上の空気間隔、ｆｗ　は第１レンズ群〜第４レンズ群の広角端における合成焦点距離、ｆｔ　は第１レンズ群〜第４レンズ群の望遠端における合成焦点距離である。
【０１２７】
〔４〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１２８】
−３．０＜ｆ１　／ｆｗ　＜−１．５２　　　　　　　　　　　・・・（４）
ただし、ｆ１　は第１レンズ群の焦点距離、ｆｗ　は第１レンズ群〜第４レンズ群の広角端における合成焦点距離である。
【０１２９】
〔５〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１３０】
２．１＜Ｄ１ｗ／ｆｗ　＜４．０　　　　　　　　　　　　　　・・・（５）
ただし、Ｄ１ｗは広角端における第１レンズ群と第２レンズ群との光軸上の空気間隔、ｆｗ　は第１レンズ群〜第４レンズ群の広角端における合成焦点距離である。
【０１３１】
〔６〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１３２】
６．１＜ＳＤｗ２／ｆｗ　＜１０　　　　　　　　　　　　　　・・・（６）
ただし、ＳＤｗ２は第１レンズ群の物体側の面から第５レンズ群の物体側の面までの光軸上の距離、ｆｗ　は第１レンズ群〜第４レンズ群の広角端における合成焦点距離である。
【０１３３】
〔７〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１３４】
０．０２＜Ｄ３ｗ／Ｄ１ｗ＜０．１０　　　　　　　　　　　　・・・（７）
ただし、Ｄ３ｗは広角端における第３レンズ群と第４レンズ群との光軸上の空気間隔、Ｄ１ｗは広角端における第１レンズ群と第２レンズ群との光軸上の空気間隔である。
【０１３５】
〔８〕　物体側より順に、正屈折力の対物レンズ群と、正屈折力の接眼レンズ群とを有する実像式ファインダー光学系において、
前記対物レンズ群は、物体側より順に、負レンズからなる第１レンズ群、正レンズからなる第２レンズ群、正レンズからなる第３レンズ群、負屈折力を有し像反転光学系の一部をなす第４レンズ群からなり、広角端から望遠端への変倍に際して、第１レンズ群は固定、第２レンズ群と第３レンズ群が可動、第４レンズ群が固定であり、
前記接眼レンズ群は、物体側より順に、像反転光学系の一部をなす第５レンズ群と、正屈折力の第６レンズ群を有し、さらに、以下の条件を満足することを特徴とする実像式ファインダー光学系。
【０１３６】
０．０６＜Ｄ１ｔ／ｆｔ　＜０．８０　　　　　　　　　　　　・・・（８）
ただし、Ｄ１ｔは望遠端における第１レンズ群と第２レンズ群との光軸上の空気間隔、ｆｔ　は第１レンズ群〜第４レンズ群の望遠端における合成焦点距離である。
【０１３７】
〔９〕　上記１から８の何れか１項記載の実像式ファインダー光学系と、該実像式ファインダー光学系とは異なる入射光路を備えると共に、該実像式ファインダー光学系にて観察される被写体の像を結像する結像光学系とを備えたことを特徴とする撮像装置。
【０１３８】
〔１０〕　前記第４レンズ群は３回の反射を行う複数の反射面を有し、前記第５レンズ群はダハ反射面を有することを特徴とする上記１から８の何れか１項記載の実像式ファインダー光学系。
【０１３９】
〔１１〕　前記対物レンズ群による焦点面近傍に観察視野を制限する視野絞りを配すると共に、広角端における最大入射半画角ωｗ　が以下の条件を満足することを特徴とする上記１から８の何れか１項記載の実像式ファインダー光学系。
【０１４０】
２７°＜ωｗ　＜４５°　　　　　　　　　　　　　　　　　・・・（９）
〔１２〕　前記対物レンズ群による焦点面近傍に観察視野を制限する視野絞りを配すると共に、望遠端における最大入射半画角ωｔ　が以下の条件を満足することを特徴とする上記１から８の何れか１項記載の実像式ファインダー光学系。
【０１４１】
５°＜ωｔ　＜１８°　　　　　　　　　　　　　　　　　・・・（１０）
〔１３〕　以下の条件を満足することを特徴とする上記１から８の何れか１項記載の実像式ファインダー光学系。
【０１４２】
１．７＜ｆｔ　／ｆｗ　＜６　　　　　　　　　　　　　　　・・・（１１）
ただし、ｆｔ　は第１レンズ群〜第４レンズ群の望遠端における合成焦点距離、ｆｗ　は第１レンズ群〜第４レンズ群の広角端における合成焦点距離である。
【０１４３】
〔１４〕　上記１の条件式（１）を満足することを特徴とする上記２から８の何れか１項記載の実像式ファインダー。
【０１４４】
〔１５〕　上記２の条件式（２）を満足することを特徴とする上記１、３から８の何れか１項記載の実像式ファインダー。
【０１４５】
〔１６〕　上記３の条件式（３）を満足することを特徴とする上記１、２、４から８の何れか１項記載の実像式ファインダー。
【０１４６】
〔１７〕　上記４の条件式（４）を満足することを特徴とする上記１から３、５から８の何れか１項記載の実像式ファインダー。
【０１４７】
〔１８〕　上記５の条件式（５）を満足することを特徴とする上記１から４、６から８の何れか１項記載の実像式ファインダー。
【０１４８】
〔１９〕　上記６の条件式（６）を満足することを特徴とする上記１から５、７、８の何れか１項記載の実像式ファインダー。
【０１４９】
〔２０〕　上記７の条件式（７）を満足することを特徴とする上記１から６、８の何れか１項記載の実像式ファインダー。
【０１５０】
〔２１〕　上記８の条件式（８）を満足することを特徴とする上記１から７の何れか１項記載の実像式ファインダー。
【０１５１】
〔２２〕　上記１０から２１の何れか１項記載の実像式ファインダー光学系と、該実像式ファインダーとは異なる入射光路を備えると共に、該実像式ファインダー光学系にて観察される被写体の像を結像する結像光学系とを備えたことを特徴とする撮像装置。
【０１５２】
【発明の効果】
以上の説明から明らかなように、本発明によると、良好な光学性能を維持しつつカメラの小型化・低コスト化に好適な構成の像正立光学系を備えた実像式ファインダー光学系とそれを備えた撮像装置を提供することができる。本発明の実像式ファインダー光学系は、特に変倍比１．９以上のファインダーに有効であるが、変倍比２．９以上のファインダーに特に効果が大きい。
【図面の簡単な説明】
【図１】本発明の実施例１の実像式ファインダー光学系の光路図である。
【図２】本発明の実施例１の実像式ファインダー光学系の光路展開図である。
【図３】本発明の実施例２の実像式ファインダー光学系の光路展開図である。
【図４】本発明の実施例３の実像式ファインダー光学系の光路展開図である。
【図５】本発明の実施例４の実像式ファインダー光学系の光路展開図である。
【図６】本発明の実施例５の実像式ファインダー光学系の光路展開図である。
【図７】本発明の実施例６の実像式ファインダー光学系の光路展開図である。
【図８】本発明の実施例７の実像式ファインダー光学系の光路展開図である。
【図９】本発明の実施例８の実像式ファインダー光学系の光路展開図である。
【図１０】本発明の実施例９の実像式ファインダー光学系の光路図である。
【図１１】本発明の実施例９の実像式ファインダー光学系の光路展開図である。
【図１２】実施例１の無限遠物点に対する収差図である。
【図１３】実施例２の無限遠物点に対する収差図である。
【図１４】実施例３の無限遠物点に対する収差図である。
【図１５】本発明の実像式ファインダー光学系をレンズシャッターカメラ又は電子スチルカメラに組み込んだ場合の透視斜視図である。
【符号の説明】
１…実像式ファインダー光学系
１Ａ、１Ｂ、１Ｃ、１Ｄ…光学面
１Ａ’、１Ｂ’、１Ｃ’…光学面
２Ａ、２Ｂ、２Ｃ…光学面
２Ａ’、２Ｂ’、２Ｃ’、２Ｄ’…光学面
１０…対物レンズ群
１１…視野枠
１２…カバーガラス
２０…　像反転光学系
２１…第１プリズム
２２…第２プリズム
３０…接眼レンズ群
４０…レンズシャッターカメラ又は電子スチルカメラ
４１…対物光学系
４２…電子撮像素子又は銀塩フィルム
４３…撮影光路
４４…ファインダー光路
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
ＥＰ…射出瞳（アイポイント）
Ｅ…撮影者の眼
【図１】
2004004447.tif 000031
【図２】
2004004447.tif 000032
【図３】
2004004447.tif 000033
【図４】
2004004447.tif 000034
【図５】
2004004447.tif 000035
【図６】
2004004447.tif 000036
【図７】
2004004447.tif 000037
【図８】
2004004447.tif 000038
【図９】
2004004447.tif 000039
【図１０】
2004004447.tif 000040
【図１１】
2004004447.tif 000041
【図１２】
2004004447.tif 000042
【図１３】
2004004447.tif 000043
【図１４】
2004004447.tif 000044
【図１５】
2004004447.tif 000045